(57)【要約】【課題】従来のシステムでは、有線通信回線で接続された通信機器間のデータ通信において、送信側と受信側で同期を取る必要があり、また、装置内部のデータ伝送路との同期を取る必要があった。そのため、装置間の通信方式が前述の条件を満たす方式に限られてしまう。例えば、ＩＰ通信など、通信装置と通信回線の動作が非同期である通信方式は、これまで、自営系デジタル無線システムに採用することが困難であった。【解決手段】通信回線と装置内伝送路の間の通信データ用バッファを複数面にし、切替機構を設けて、通信回線と装置内伝送路の動作を非同期に行う。【選択図】図３
2011015138.tif 000002
【特許請求の範囲】
【請求項１】
非同期に信号を伝送する通信回線とデータを相互に通信する装置内伝送路であって、前記通信回線と接続するための回線インターフェース部と、前記回線インターフェース部と前記装置内伝送路間を接続するための装置内伝送路インターフェース部とからなるインターフェース処理部において、
前記回線インターフェース部は、前記同期信号に応じて、前記通信回線から受信したデータを前記装置内伝送路インターフェース部に出力し、
前記装置内伝送路インターフェース部は、前記回線インターフェース部から入力されたデータを書込むための第１のバッファと第２のバッファを備え、
前記装置内伝送路が所定の周期で送信する同期信号に応じて、前記第１のバッファが前記回線インターフェース部から送信されたデータを書込み、かつ前記第２のバッファがデータを読出し、前記読出されたデータを前記装置内伝送路に送信することを特徴とするインターフェース処理部。
【発明の詳細な説明】
【技術分野】
【０００１】
本発明は、有線通信回線間にＩＰ（ Internet Protocol ）ネットワークを利用した自営系デジタル無線システムのインターフェース処理に関するものである。
【背景技術】
【０００２】
従来のデジタル無線システムについて、図１を用いて説明する。図１は従来の自営系デジタル無線システムの構成を示すブロック図である。１１１−１、１１１−２、及び１１１−３は移動局、１１２−１、１１２−２、及び１１２−３は無線基地局装置、１１３はデジタル専用回線、１１４は回線制御装置、１１５−１、１１５−２、１１５−３、１１５−４、１１５−５、及び１１５−６はＤＳＵ（ Digital Service Unit ）である。
図１の移動局、無線基地局装置の数は、一例であって、図１の数の組み合わせに限らない。
以降の説明では、特別の理由が無い限り、移動局の代表として移動局１１１−１について説明する。また、無線基地局装置の代表として無線基地局装置１１２−１について説明する。さらに、ＤＳＵの代表としてＤＳＵ１１５−１と１１５−４について説明する。
【０００３】
図１における従来の自営系デジタル無線システムでは、無線基地局装置１１２−１と無線回線制御装置１１４の間をデジタル専用回線１１３で結んでいる。無線基地局装置１１２−１は、移動局１１１−１が送信した音声データ若しくは通信制御用データを受信する。無線基地局装置１１２−１は、受信した音声データ若しくは通信制御用データをＤＳＵ１１５−１、デジタル専用回線１１３、及びＤＳＵ１１５−４を通って無線回線制御装置１１４伝送する。ＤＳＵ１１５−１及び１１５−４はデジタル回線制御装置と端末装置間を接続する装置である。
無線回線制御装置１１４は、必要な回線制御を行い、音声データ若しくは通信制御用データを、ＤＳＵ１１５−４、デジタル専用回線１１３、及び、ＤＳＵ１１５−１を介して、無線基地局装置１１２−１に伝送する。無線基地局装置１１２−１は、受信した音声データ若しくは通信制御用データを必要な移動局に送信する。
【０００４】
自営系無線システムを構成している無線基地局装置１１２−１及び無線回線制御装置１１４において、装置自身を構成する電気回路基板や電子回路基板等の、各基板での処理部間では、装置内伝送路を使用して、音声データを伝送している。
装置内伝送路へは、装置内伝送路のフレーム同期信号に同期して音声データを送受信する必要がある。
デジタル専用線１１３を介して接続された装置間同士では、例えば、回線制御装置１１４など装置のどちらかが、タイミング・マスターとして同期信号の発生を行い、装置間をつなぐ専用の通信回線（デジタル専用回線１１３）を使用し同期信号を送信する。そして、無線基地局装置１１２−１など他方の装置は、タイミング・スレーブとしてデジタル専用回線１１３から同期信号を取得し、自装置内の伝送路を同期させる。これにより、通信回線と両装置内の装置内伝送路の同期がとれ、音声データの送受信を行うことができる。この方式ではデータの送信側と受信側がひとつの同期信号を使って通信を行っている。
【先行技術文献】
【特許文献】
【０００５】
【特許文献１】特開２００７−７４４８６号公報
【特許文献２】特開平９−２５２２９２号公報
【発明の概要】
【発明が解決しようとする課題】
【０００６】
上述のように、従来のシステムでは、有線通信回線で接続された通信機器間のデータ通信において、送信側と受信側で同期を取る必要があり、また、装置内部のデータ伝送路との同期を取る必要があった。そのため、装置間の通信方式が前述の条件を満たす方式に限られてしまう。例えば、ＩＰ通信など、通信装置と通信回線の動作が非同期である通信方式は、これまで、自営系デジタル無線システムに採用することが困難であった。例えば、特許文献１には、非同期対策用にバッファメモリを備え、バッファメモリの書込み量が所定以上あった場合に読出すようにしていた。しかし、音声データだけでなく、音声データ以外の他のデータにも適用することもあるため、装置内の同期についての抜本的な解決ではない。
特許文献２は、映像／音声信号等をデジタル化し、非同期な伝送路を用いて送信し、受信側の同期を送信側と厳密に同期させていない。また、音声データだけでなく、音声データ以外の映像等の他のデータにも適用するので、装置内の同期についての抜本的な解決ではない。
本発明は上記の問題点に鑑み、自営系デジタル無線システムの有線通信方式をたとえばＩＰ通信などの方式に変更する手段を提供することを目的とする。
【課題を解決するための手段】
【０００７】
上記の課題を解決するために、本発明は、通信回線と装置内伝送路の間の通信データ用バッファを複数面にし、切替機構を設けて、通信回線と装置内伝送路の動作を非同期に行う。
即ち、本発明は、非同期に信号を伝送する通信回線とデータを相互に通信する装置内伝送路であって前記通信回線と接続するための回線インターフェース部と、前記回線インターフェース部と前記装置内伝送路間を接続するための装置内伝送路インターフェース部とからなるインターフェース処理部において、
前記回線インターフェース部は、前記同期信号に応じて、前記通信回線から受信したデータを前記装置内伝送路インターフェース部に出力し、
前記装置内伝送路インターフェース部は、前記回線インターフェース部から入力されたデータを書込むための第１のバッファと第２のバッファを備え、
前記装置内伝送路が所定の周期で送信する同期信号に応じて、前記第１のバッファが前記回線インターフェース部から送信されたデータを書込み、かつ前記第２のバッファがデータを読出し、前記読出されたデータを前記装置内伝送路に送信することを特徴とするインターフェース処理部。
【発明の効果】
【０００８】
本発明によれば、特に、自営系デジタル無線システムにおいて、通信回線と装置内伝送路の動作を非同期に行うことを可能とした。
即ち、通信回線と装置内伝送路の間に通信データのバッファを設けた通信処理機構を持ち、装置間のデータ通信にＩＰなどの装置内伝送路とは非同期の方式を採用することが可能となった。このことにより新規システムを構築する場合、回線使用料が安価なイーサネット（登録商標）等のＬＡＮ（ Local Area Network ）回線などの方式を選択することでランニングコストの低減を行うことができる。
【図面の簡単な説明】
【０００９】
【図１】従来の自営系デジタル無線システムの構成を示すブロック図である。
【図２】本発明の一実施例にかかわる通信システムの構成を示すブロック図である。
【図３】本発明の音声データ処理にかかわる通信装置（無線基地局装置、若しくは、回線制御装置）の一実施例の構成を示すブロック図である。
【図４】本発明の一実施例のＩＦ処理部の構成を示すブロック図である。
【図５】本発明の一実施例のＩＦ処理部の通信回線から受信する場合の音声データ処理タイミングを説明するための図である。
【図６】本発明の一実施例のＩＦ処理部の通信回線から送信する場合の音声データ処理タイミングを説明するための図である。
【図７】本発明の一実施例の音声データ処理タイミングを説明するための図である。
【図８】本発明の一実施例のＩＦ処理部の構成を示すブロック図である。
【図９】本発明の一実施例の通信回線から受信した音声データの処理タイミングを示す図である。
【図１０】本発明の一実施例の通信回線へ送信する音声データの処理タイミングを示す図である。
【発明を実施するための形態】
【００１０】
本発明は、通信回線と装置内伝送路の動作を非同期に行うことを可能とすることを特徴とした自営系デジタル無線システムである。
また本発明は、通信回線と装置内伝送路の間に通信データのバッファを設けた通信処理機構を持つことを特徴とした自営系デジタル無線システムおよび通信機器装置である。
【実施例１】
【００１１】
さらに本発明は、通信回線と装置内伝送路の間の通信データ用の送信用及び受信用のバッファを２面バッファとし、２面バッファの切替機構を設けたことを特徴とした通信処理システムである。
なお、本書では、既に説明した図１を含め、以降の各図の説明において、共通な機能を有する構成要素には同一の参照番号を付し、説明を省略する。
【００１２】
図２によって、本発明の一実施例を説明する。図２は、本発明の一実施例にかかわる通信システムの構成を示すブロック図である。２１２−１、２１２−２、及び２１２−３は無線基地局装置、２１３はＩＰネットワーク網等の通信回線、２１４は回線制御装置、２１５−１、２１５−２、２１５−３、及び２１６はルータである。
【００１３】
図２において、無線基地局装置２１２−１、２１２−２、及び２１２−３と、回線制御装置２１４の間を、例えば、ＩＰネットワーク網等の通信回線２１３のように、通信装置（無線基地局装置、及び回線制御装置）とは非同期に動作する回線網で接続している。図２の実施例にかかわる通信回線２１３との回線インターフェース機構は、無線基地局装置２１２−１〜２１２−３、及び無線回線制御装置２１４、それぞれの内部に収納される。
【００１４】
図３によって、本発明の音声データ処理の一実施例を説明する。図３は、本発明の音声データ処理に関わる通信装置（無線基地局装置、若しくは、回線制御装置）の一実施例の構成を示すブロック図である。説明を簡単にするため、図３の通信装置の一例として、回線制御装置について図３によって説明する。
３００は回線制御装置、３１０はＩＦ（インターフェース）処理部、３２０は装置内伝送路、３３０は音声データ処理部である。ＩＦ処理部３１０において、３１１は回線ＩＦ部、３１２は装置内伝送路ＩＦ部である。即ち、ＩＦ処理部３１０は、回線ＩＦ部３１１と装置内伝送路ＩＦ部３１２で構成される。
回線ＩＦ部３１１は、例えばＣＰＵ（ Central Processing Unit ）で構成され、装置内伝送路ＩＦ部３１２は、例えば、ＦＰＧＡ（ Field Programmable Gate Array ）で構成される。
【００１５】
図３の回線制御装置３００内において、音声データ処理部３３０は、通信装置（ここでは、回線制御装置３００）とは非同期に動作する、ＩＰネットワーク網である通信回線２１３のような、回線網回線を通じて受信した音声データを処理する部分である。例えば、回線制御装置３００の場合には、ＩＰネットワーク網等の通信回線２１３間の音声交換処理や音声のミックスを行う処理部となる。
また、図３の通信装置が基地局無線装置２１２−１の場合には、音声データ処理部は、例えば、無線移動局との間で音声データを無線で送受信する無線装置である。
【００１６】
装置内伝送路３２０は、通信装置内の各処理部間で音声データのやり取りをする機能を有する部分である。
ＩＦ処理部３１０は、ＩＰネットワーク網等の通信回線２１３等の通信回線と通信装置をつなぐ部分で、通信回線（ＩＰネットワーク網等）２１３を通じて他の通信装置から受信した音声データを、装置内伝送路３２０に送信する。また、ＩＦ処理部３１０は、装置内伝送路３２０から出力された音声データを、通信回線（ＩＰネットワーク網２１３）を介して他の通信装置へ送信する。
【００１７】
ＩＦ処理部３１０において、回線ＩＦ部３１１は、通信回線（ＩＰネットワーク網等）２１３を経由して他の通信装置とデータ通信を行う部分であり、例えば、ＵＤＰ／ＩＰなどのデータ通信のための通信プロトコル処理を、ＣＰＵなどを使用して行う。
装置内伝送路ＩＦ部３１２は、装置内伝送路３２０とのデータ送受信を行う。そして、その送受信動作は、例えば、ＦＰＧＡなどを使用して、装置内伝送路３２０の動作と同期して行う。同期は、装置内伝送路３２０から所定の周期で出力される、同期信号によってなされる。
【００１８】
図４によって、図３で説明したＩＦ処理部３１０をさらに説明する。図４は、本発明の一実施例のＩＦ処理部の構成を示すブロック図である。回線ＩＦ部３１１において、４１１は音声データ受信処理部、４１２は音声データ送信処理部である。また装置内伝送路ＩＦ部３１２において、４２１は受信側の２面バッファ、４２２は送信側の２面バッファ、４２３はＩＦ部、４４８は装置内伝送路３２０からＩＦ部４２３に送信される同期信号、４４４は装置内伝送路ＩＦ部３１２から回線ＩＦ部３１１に通知される同期信号である。
図４において、回線ＩＦ部３１１は、音声データ受信処理部４１１と音声データ送信処理部４１２で構成される。
装置内伝送路ＩＦ部３１２は、受信側の２面バッファ４２１、送信側の２面バッファ４２２、及び、装置内伝送路３２０とのインターフェースのためのＩＦ部４２３で構成される。
受信側の２面バッファ４２１は、回線ＩＦ部３１１から入力されるデータを受信し、装置内伝送路３２０へデータを送信する。また、送信側の２面バッファ４２２は、装置内伝送路３２０から入力されるデータを回線ＩＦ部３１１に送信する。
また、装置内伝送路３２０は、同期信号４４８を装置内伝送路ＩＦ部３１２に所定の周期で出力しており、この同期信号４４８は、さらに、装置内伝送路ＩＦ部３１２から、回線ＩＦ部３１１に同期信号４４４として通知される。
装置内伝送路ＩＦ部３１２は、入力される同期信号４４８に応じて、２面バッファの切替えを行う。
図５と図６によって、本発明の２面バッファの動作について説明する。図５は、本発明の一実施例のＩＦ処理部の通信回線から受信する場合の音声データ処理タイミングを説明するための図である。
【００１９】
図５において、４４８−１は装置内伝送路３２０からＩＦ部４２３に送信される同期信号、４４４−１は装置内伝送路ＩＦ部３１２から回線ＩＦ部３１１に通知される同期信号である。同期信号４４８−１は、装置内伝送路ＩＦ部３１２に所定の周期で装置内伝送路３２０から出力されており、この同期信号４４８−１は、さらに、装置内伝送路ＩＦ部３１２から、回線ＩＦ部３１１に同期信号４４４−１として通知される。なお、所定の周期で出力される同期信号４４８（及び４４４）は、例えば、同期信号４４８−０（及び４４４−０）、４４８−１（及び４４４−１）、４４８−２（及び４４４−２）、・・・の順番で出力される（図示しない）。また、この出力同期信号４４４−０、４４４−１、４４４−２、・・・のタイミングで、音声データＤ１、Ｄ２、Ｄ３、・・・を音声受信処理部４１１から、装置内伝送路ＩＦ部３１２に出力する。
５２１−１は同期信号４４８−１が入力する前（同期信号４４８−０入力後）の受信側の２面バッファであり、５２１−２は同期信号４４８−１が入力した後の受信側の２面バッファである。受信側の２面バッファ５２１−１は、同期信号４４８−１が入力することによって時間的に推移し、受信側の２面バッファ５２１−２のように状態が変化する。
５２１−ｉは２面バッファ４２１（５２１−１若しくは５２１−２）の回線ＩＦ部アクセス側のバッファ、５２１−ｏは２面バッファ４２１（５２１−１若しくは５２１−２）の装置内伝送路アクセス側のバッファである。
【００２０】
まず、音声データ受信処理部４１１は、ＵＤＰ／ＩＰなどの所定の通信プロトコルにより、通信回線からの音声データＤ１を受信する。
回線ＩＦ部３１１の音声データ受信処理部４１１（図４参照）は、同期信号４４４−０（図示しない）の通知に応じて、通信回線２１３から受信した音声データＤ１を装置内伝送路ＩＦ部４２１の受信側の２面バッファ５２１−１に出力する。２面バッファ５２１−１は、同期信号４４４−０の元となる同期信号４４８−０（図示しない）に応じて、この入力される音声データＤ１を回線ＩＦ部アクセス側のバッファ５２１−ｉに書込む。
【００２１】
その後、次の同期信号４４８−１が、装置内伝送路３２０から送信され、ＩＦ部４２３を介して、装置内伝送路ＩＦ部４２１の受信側の２面バッファ５２１−１に入力される。装置内伝送路ＩＦ部４２１は、その入力同期信号４４８−１を、同期信号４４４−１として、音声データ受信処理部４１１に出力する。
また、装置内伝送路ＩＦ部４２１は、同期信号４４８−１に応答して、２面バッファ５２１−１の装置内伝送路アクセス側バッファ５２１−ｏから読出し、音声データＤ１をＩＦ部４２３を介して装置内伝送路３２０に出力し、２面バッファ５２１−１の回線ＩＦ部アクセス側バッファ５２１−ｉに、入力される音声データＤ２を書込む。
なお、回線ＩＦ部３１１の音声データ受信処理部４１１は、同期信号４４４−１の通知に応じて、通信回線２１３から受信した音声データＤ２を装置内伝送路ＩＦ部４２１の受信側の２面バッファ５２１−１に出力する。
【００２２】
また図６は、本発明の一実施例のＩＦ処理部の通信回線へ送信する場合の音声データ処理タイミングを説明するための図である。
図６において、５２２−１は同期信号４４８−１が入力する前（同期信号４４８−０後）の送信側の２面バッファであり、５２２−２は同期信号４４８−１が入力した後の送信側の２面バッファである。送信側の２面バッファ５２２−１は、同期信号４４８−１が入力することによって時間的に推移し、送信側の２面バッファ５２２−２のように状態が変化する。
５２２−ｏは２面バッファ４２２（５２２−１若しくは５２２−２）の回線ＩＦ部アクセス側のバッファ、５２１−ｉは２面バッファ４２２（５２２−１若しくは５２２−２）の装置内伝送路アクセス側のバッファである。
【００２３】
まず、同期信号４４４−０（図示しない）の受信に応じて、装置内伝送路３１２から伝送された音声データＤ１を受信したＩＦ部４２３は、装置内伝送路ＩＦ部４２１の送信側２面バッファ４２２に出力する。即ち、出力同期信号４４８−０、４４８−１、４４８−２、・・・のタイミングで、音声データＤ１、Ｄ２、Ｄ３、・・・を装置内伝送路３２０から、装置内伝送路ＩＦ部３１２に出力する。
送信側２面バッファ４２２は、入力された音声データＤ１、Ｄ２、Ｄ３、・・・を装置内伝送路アクセス側バッファ５２２−ｉに書込む。
【００２４】
例えば、同期信号４４８−０において音声データＤ１が書込まれた後、次の同期信号４４８−１が、装置内伝送路３２０から送信され、ＩＦ部４２３を介して、装置内伝送路ＩＦ部４２１の送信側の２面バッファ５２２−１に入力される。装置内伝送路ＩＦ部４２１は、その入力同期信号４４８−１を、同期信号４４４−１として、音声データ送信処理部４１２に出力する。
また、装置内伝送路ＩＦ部４２１は、同期信号４４８−１に応答して、２面バッファ５２２−１の回線ＩＦ部アクセス側バッファ５２２−ｏから読出し、音声データＤ１を音声データ送信処理部４１２に出力し、２面バッファ５２２−１の装置内伝送路アクセス側バッファ５２２−ｉに、入力される音声データＤ２を書込む。
なお、回線ＩＦ部３１１の音声データ送信処理部４１２は、同期信号４４４−１の通知に応じて、装置内伝送路３１２から受信した音声データＤ２を、ＵＤＰ／ＩＰなどの所定の通信プロトコルにより、通信回線２１３に出力する。
【００２５】
上述の図４〜図６の実施例で説明したように、受信側の２面バッファ４２１と送信側の２面バッファ４２２の切替え、装置内伝送路３２０へのデータ送受信の開始は、装置内伝送路からの同期信号４８８に同期して行われる。
即ち、回線ＩＦ部３１１で受信された音声データは、装置内伝送路ＩＦ部３１２からの同期信号４４８−０（４４４−０）の通知に合わせて２面バッファ４２１の回線ＩＦ部アクセス側のバッファ５２１−ｉに書込まれる。２面バッファ４２１は、次の同期信号４４８−１の通知により、バッファの切替えが行われ、書込まれたデータは装置内伝送路アクセス側のバッファ５２２−ｉに移り、そこからＩＦ部４２３を介して装置内伝送路３２０への送信を開始する。
同様に、装置内伝送路３２０から送信されたデータは、同期信号４４８−０に同期して、送信側の２面バッファ４２２の装置内伝送路アクセス側のバッファ５２２−ｉで受信を開始する。受信を終了したデータは、次の同期信号４４８−１（４４４−１）で回線ＩＦ部アクセス側のバッファ５２２−ｏに移り、音声データ送信処理部４１２に読出され、所定の通信プロトコルにて通信回線から他の装置へ送信される。
【００２６】
なお、上記実施例１の図５及び図６の２面バッファでは、回線ＩＦ部アクセス側のバッファと装置内伝送路アクセス側のバッファとを異なるバッファとして説明した。しかし、実際には、音声データを書込まれたバッファは、次のフェーズとなった（次の同期信号が到来した）時に、読出しのバッファとして動作するバッファとしても良い。例えば、受信側の２面バッファにおいて、音声データを書込まれた後の同期信号到来時には、回線ＩＦ部アクセス側のバッファは装置内伝送路アクセス側のバッファとして動作し、装置内伝送路アクセス側のバッファは回線ＩＦ部アクセス側のバッファとして動作する。同様に、送信側の２面バッファにおいて、音声データを書込まれた後の同期信号到来時には、装置内伝送路アクセス側のバッファは回線ＩＦ部アクセス側のバッファとして動作し、回線ＩＦ部アクセス側のバッファは装置内伝送路アクセス側のバッファとして動作する。
【００２７】
即ち、図７において、音声データ出力部７０１は、図５の音声データ受信処理部４１１若しくは図６のＩＦ部４２３に相当し、２面バッファ７００は、図５の２面バッファ５２１−１と５２１−２、若しくは図６の２面バッファ５２２−１と５２２−２に相当する。また、バッファ７０２及び７０３は、図５の回線ＩＦアクセス側のバッファ５２１−ｉ及び装置内伝送路アクセス側のバッファ５２１−ｏに相当する。または、バッファ７０２及び７０３は、図６の装置内伝送路アクセス側のバッファ５２２−ｉ及び回線ＩＦアクセス側のバッファ５２２−ｏに相当する。また、音声データ部７０１は、図５の音声データ受信部４１１、若しくは、図６の装置内伝送路３２０（ＩＦ部４２３）に相当する。さらに、音声データ部７０４は、図５の装置内伝送路３２０（ＩＦ部４２３）、若しくは、図６の音声データ送信処理部４１２に相当する。
【００２８】
図７（ａ）において、同期信号ｓ０をトリガとして、音声データ部７０１から音声データＤ１が、２面バッファ７００のバッファ７０２に書込まれる。そのとき、２面バッファ７００のバッファ７０３にその前の同期信号をトリガとして書込まれていた音声データＤ０が、音声データ部７０４に読出される。
次に、図７（ｂ）では、同期信号ｓ１をトリガとして、音声データ部７０１から音声データＤ２が、２面バッファ７００のバッファ７０３に書込まれる。そのとき、２面バッファ７００のバッファ７０２にその前の同期信号Ｓ０をトリガとして書込れていた音声データＤ１が、音声データ部７０４に読出される。
また次に図７（ｃ）では、同期信号ｓ２をトリガとして、音声データ部７０１から音声データＤ３が、２面バッファ７００のバッファ７０２に書込まれる。そのとき、２面バッファ７００のバッファ７０３にその前の同期信号Ｓ１をトリガとして書込れていた音声データＤ２が、音声データ部７０４に読出される。
以上のように、所定の周期で出力される同期信号をトリガとして、２面バッファのバッファの書込み機能と読出し機能が交互に動作する。
なお、同期信号の出力は、図５若しくは図６で述べたように、装置内伝送路３２０側の音声データ部から出力され、他の構成要素に入力される。
【００２９】
即ち、実施例１の発明のインターフェース処理部は、好ましくは、非同期に信号を伝送する通信回線とデータを相互に通信する装置内伝送路であって、前記通信回線と接続するための回線インターフェース部と、前記回線インターフェース部と前記装置内伝送路間を接続するための装置内伝送路インターフェース部とからなるインターフェース処理部において、前記回線インターフェース部は、前記同期信号に応じて、前記通信回線から受信したデータを前記装置内伝送路インターフェース部に出力し、前記装置内伝送路インターフェース部は、前記回線インターフェース部から入力されたデータを書込むための第１のバッファと第２のバッファを備え、前記装置内伝送路が所定の周期で送信する同期信号に応じて、前記第１のバッファが前記回線インターフェース部から送信されたデータを書込み、かつ前記第２のバッファがデータを読出し、前記読出されたデータを前記装置内伝送路に送信するものである。
また好ましくは、実施例１の発明のインターフェース処理部は、前記第１のバッファと前記第２のバッファとで、２面バッファを構成したものである。
【００３０】
さらに、実施例１の発明のインターフェース処理部は、好ましくは、前記装置内伝送路インターフェース部は、さらに、前記装置内伝送路から送信されたデータを書込むための第３のバッファと第４のバッファとを備え、前記装置内伝送路が所定の周期で送信する同期信号に応じて、前記第３のバッファが前記装置内伝送路から送信されたデータを書込み、かつ前記第２のバッファがデータを読出し、前記読出されたデータを前記回線インターフェース部に出力するものである。
またさらに好ましくは、実施例１の発明のインターフェース処理部は、前記第３のバッファと前記第４のバッファとで、２面バッファを構成したものである。
【００３１】
以上のように、上述の実施例１の通信システムによれば、例えば、無線基地局装置と無線回線制御装置のような通信機器装置間で、音声データを通信する場合に、装置間の通信ＩＦ部分にＣＰＵ等を使用した回線ＩＦ部を設け、装置内の伝送路との間に複数面の切替え可能なデータ受け渡し用のバッファを設け、装置内の伝送路の動作に同期してバッファの面を切替えることで、装置内の伝送路と通信回線のデータ送受信動作を切離し非同期とすることができる。
この結果、ランニングコストの低減が可能となった。
【実施例２】
【００３２】
上述の実施例１では、２面バッファを用いて、装置間のデータ通信にＩＰなどの装置内伝送路とは非同期の方式を採用することを可能とした。しかし、１つの同期信号到来時に音声データの書込み、次の同期信号到来時に書込まれた音声データの読出しと、音声データの受信に時間がかかっていた。そこで、実施例２では、実施例１に比べ、通信処理時間の遅延を低減するようにした。
なお、本発明の実施例２では、実施例１と図２及び図３は同一の構成である。ただし、ＩＦ処理部３１０の装置内伝送路ＩＦ部の構成が異なる。
【００３３】
図９は、本発明の一実施例のＩＦ処理部の構成を示すブロック図である。９１２は装置内伝送路ＩＦ部、９２１は装置内伝送路ＩＦ部９１２の受信側のバッファ、９２２は装置内伝送路ＩＦ部９１２の送信側のバッファ、９２３は装置内伝送路ＩＦ部９１２のＩＦ部である。また、９４４は装置内伝送路ＩＦ部９１２から回線ＩＦ部３１１に通知される同期信号である。
即ち、図９の構成は、図４の構成に比べて、装置内伝送路ＩＦ部３１２を装置内伝送路ＩＦ部９１２を使用し、受信側のバッファ４２１の替りに受信側のバッファ９２１を使用し、送信側のバッファ４２２の替りに送信側のバッファ９２２を使用し、ＩＦ部４２３の替りにＩＦ部９２３を使用し、送信側の同期信号として同期信号（読出し通知信号）９４４を追加したものである。
【００３４】
実施例２の詳細な説明を図９、図１０、及び図１１によって説明する。
図１０は、通信回線２１３から受信した音声データの処理タイミングを示す図である。また、図１１は通信回線２１３へ送信する音声データの処理タイミングを示す図である。図１０と図１１において、横軸は、経過時間である。
また、図１０において、（１）は伝送路周期通知信号（同期信号）４４８、（２）はバッファ９２１への書込み通知信号（同期信号）４４４、（３）は音声データ受信処理部４１１からバッファ９２１への書込み動作状態、（４）はバッファ９２１から装置内伝送路３２０への読出し動作状態を示す。
また、図１１において、（１）は伝送路周期通知信号（同期信号）４４８、（２）はバッファ９２２への書込み動作状態、（３）読出し通知信号（同期信号）９４４、（４）はバッファ９２２から音声状態送信処理部４１２へのバッファ９２２の読出し動作状態を示す。
さらに図１０において、時刻ａ１、ａ２、ａ３、・・・は、伝送路周期通知信号４４８のタイミングを示し、ｂ１、ｂ２、・・・は、バッファ書込み通知信号９４４のタイミングを示している。また、図１１において、時刻ａ１、ａ２、ａ３、・・・は、伝送路周期通知信号４４８のタイミングを示し、ｂ１、ｂ２、・・・は、バッファ書込み通知信号９４４のタイミングを示している。
【００３５】
図９のＩＦ処理部３０１は、図４と同様に、回線ＩＦ部３１１と装置内伝送路ＩＦ部９１２で構成される。また回線ＩＦ部は、音声データ受信処理部４１１と音声データ送信処理部４１２で構成される。
また、装置内伝送路ＩＦ部９１２は、装置内伝送路３２０へのデータ送信のバッファ９２１、受信用のバッファ９２２、及び、装置内伝送路３２０とのインターフェース（ＩＦ）部９２３で構成される。
【００３６】
図９、図１０、及び図１１において、装置内伝送路３２０は、伝送路周期を通知するための同期信号（伝送路周期通知信号）４４８を、所定の周期で、繰り返し、ＩＦ部９２３に出力する（時刻ａ１、ａ２、ａ３、・・・）。ＩＦ部９２３は、この伝送路周期通知信号４４８を、受信の都度、ＩＦ処理部３１０に通知する。
【００３７】
図９と図１０において、装置内伝送路ＩＦ部９１２は、時刻ａ１で入力された伝送路周期通知信号４４８を、回線ＩＦ部３１１にも、バッファ書込み通知信号（同期信号）４４４として時刻ｂ１、ｂ２、・・・といったタイミングで通知する。このバッファ書込み通知信号４４４は、装置内伝送路ＩＦ部９１２が、伝送路周期通知信号４４８を受信してから、所定の時間Ｔ（例えば、Ｔ＝３４．５［ｍｓ］）経過後に、回線ＩＦ部３１１に通知するように出力される。この、所定の時間Ｔは、装置内伝送路ＩＦ部９１２が装置内伝送路３２０に書込むために必要な時間Ｔ０より時間を長くする（Ｔ＞Ｔ０）。
【００３８】
回線ＩＦ部３１１の音声データ受信処理部４１１は、通信回線２１３から、ＵＤＰ／ＩＰなどの所定の通信プロトコルにより音声データＤ１を受信する。回線ＩＦ部３１１は、時刻ｂ１でバッファ書込み通知信号（同期信号）４４４を受信した時、音声データ受信処理部４１１から装置内伝送路ＩＦ部９１２のバッファ９２１へ音声データＤ１を出力する。装置内伝送路ＩＦ部９１２は、入力された音声データＤ１をバッファ９２１に書込む。書込み時間は、例えば、５．５［ｍｓ］である。
次に、装置内伝送路ＩＦ部９１２は、時刻ａ２で次の伝送路周期通知信号（同期信号）４４８を受信すると、バッファ９２１の音声データＤ１を読出し、装置内伝送路３２０へＩＦ部９２３を介して送信する。
また、時刻ａ２で次の伝送路周期通知信号４４８を受信すると、装置内伝送路ＩＦ部９１２は、次の伝送路周期通知信号４４８を受信してから、３４．５［ｍｓ］経過後（時刻ｂ２）に、次のバッファ書込み通知信号４４４を出力し、回線ＩＦ部３１１の音声データ受信処理部４１１からの音声データＤ２を書込む。
次に、装置内伝送路ＩＦ部９１２は、時刻ａ３でその次の伝送路周期通知信号（同期信号）４４８を受信すると、バッファ９２１の音声データＤ２を読出し、装置内伝送路３２０へＩＦ部９２３を介して送信する。
なお、時刻ａ１、ａ２、ａ３、・・・の時間間隔は、例えば、４０［ｍｓ］である。
【００３９】
図９と図１１において、時刻ａ１で入力された伝送路周期通知信号４４８を受信した時、装置内伝送路ＩＦ部９１２は、装置内伝送路３２０から音声データＤ１を受信し、バッファ９２２に音声データＤ１を書込む。
装置内伝送路ＩＦ部９１２は、バッファ９２２への音声データＤ１の格納が終了すると、バッファ読出し通知信号（同期信号）９４４を回線ＩＦ部３１１に通知する（時刻ｂ１）。そして、バッファ９２２内の音声データＤ１を読出し、回線ＩＦ部３１１の音声データ送信処理部４１２に出力する。
回線ＩＦ部３１１は、バッファ読出し通知信号９４４が入力されると、音声データ送信処理部４１２にて、ＵＤＰ／ＩＰなどの所定の通信プロトコルに変換して通信回線２１３に音声データＤ１を送信する。
次に、時刻ａ２で伝送路周期通知信号４４８を受信した時、装置内伝送路ＩＦ部９１２は、装置内伝送路３２０から音声データＤ２を受信し、バッファ９２２に音声データＤ２を書込む。
装置内伝送路ＩＦ部９１２は、バッファ９２２への音声データＤ２の格納が終了すると、バッファ読出し通知信号（同期信号）９４４を回線ＩＦ部３１１に通知する（時刻ｂ２）。そして、バッファ９２２内の音声データＤ２を読出し、回線ＩＦ部３１１の音声データ送信処理部４１２に出力する。
回線ＩＦ部３１１は、バッファ読出し通知信号９４４が入力されると、音声データ送信処理部４１２にて、ＵＤＰ／ＩＰなどの所定の通信プロトコルに変換して通信回線２１３に音声データＤ２を送信する。
【００４０】
即ち、実施例２の発明のインターフェース処理部は、好ましくは、非同期に信号を伝送する通信回線とデータを相互に通信する装置内伝送路であって、前記通信回線と接続するための回線インターフェース部と、前記回線インターフェース部と前記装置内伝送路間を接続するための装置内伝送路インターフェース部とからなるインターフェース処理部において、前記回線インターフェース部は、前記伝送路周期通知信号から第１の所定時間経過後に、バッファ書込み信号を出力して前記通信回線から受信したデータを前記装置内伝送路インターフェース部に出力し、前記装置内伝送路インターフェース部は、前記通信回線から送信されたデータを書込むため第５のバッファを備え、前記バッファ書込み信号に応じて前記第５のバッファに前記回線インターフェース部から入力されたデータを書込み、次の周期に送信される前記伝送路周期通知信号に応じて、前記第５のバッファからデータを読出し、前記読出されたデータを前記装置内伝送路に送信するものである。
【００４１】
また好ましくは、上記実施例２の発明のインターフェース処理部は、さらに、前記装置内伝送路インターフェース部は、前記装置内伝送路から送信されたデータを書込むため第６のバッファを備え、前記伝送路周期通知信号に応じて、前記受信されたデータを前記第６のバッファに書込み、前記回線インターフェース部は、前記伝送路周期通知信号から第２の所定時間経過後に、バッファ読出し信号を出力して前記第６のバッファからデータを読出し、前記読出されたデータを前記回線インターフェース部に出力するものである。
【００４２】
上述のように、実施例２では、無線基地局装置と無線回線制御装置のような通信機器装置間で、音声などのデータを通信する場合、装置間の通信ＩＦ（通信インターフェース）部分に、ＣＰＵ等を使用した回線ＩＦ部を設け、他装置と音声データを非同期で送受信する。また、装置内伝送路ＩＦ部に、装置内伝送路と回線ＩＦ部のデータ受け渡し用バッファを設けることで、装置内の伝送路の動作に同期して音声データを装置内で送受信を行う。
このように、上記実施例２によれば、通信回線と装置内伝送路の間に通信データのバッファを持たせることでＩＰ通信などの通信装置と通信回線の動作が非同期な通信方式を自営系デジタル無線システムに採用することができる。
また、装置内伝送路ＩＦ部へのデータ書込み処理を、伝送路周期通知信号の受信時から所定時間経過後まで遅延することで、伝送路周期通知信号と次の伝送路周期通知信号間の１周期内で、装置内伝送路ＩＦ部のバッファへの書込みと、装置内伝送路への読出しを行うことが可能となり、実施例１での通信処理時間の遅延を低減することができた。
【００４３】
上記実施例１及び実施例２では、ＩＰ通信などの通信装置と通信回線が非同期の通信方式と、自営系無線システムとの接続を可能とする通信データの種類は、音声データであったが、音声データに限らない。即ち、本発明は、上述の実施例に限定されるわけではなく、本発明が属する技術分野において、通常の知識を有する者であれば、本発明の思想と精神に基づいて、本発明を修正若しくは変更できる発明が含まれることは勿論である。
【符号の説明】
【００４４】
１１１−１、１１１−２、１１１−３：移動局、  １１２−１、１１２−２、１１２−３：無線基地局装置、  １１３：デジタル専用回線、  １１４：回線制御装置、  １１５−１、１１５−２、１１５−３、１１５−４、１１５−５、１１５−６：ＤＳＵ、  ２１２−１、２１２−２、２１２−３：無線基地局装置、  ２１３：ＩＰネットワーク網等の通信回線、  ２１４：回線制御装置、  ２１５−１、２１５−２、２１５−３、２１６：ルータ、  ３００：回線制御装置、  ３１０：ＩＦ処理部、  ３１１：回線ＩＦ部、  ３１２：装置内伝送路ＩＦ部、  ３２０：装置内伝送路、  ３３０：音声データ処理部、  ４１１：音声データ受信処理部、  ４１２：音声データ送信処理部、  ４２１：２面バッファ、  ４２２：２面バッファ、  ４２３：ＩＦ部、  ４４４、４４８：同期信号、  ５２１−１、５２１−２：２面バッファ、  ５２１−ｉ：２面バッファ４２１の回線ＩＦ部アクセス側のバッファ、  ５２１−ｏ：２面バッファ４２１の装置内伝送路アクセス側のバッファ、  ５２２−ｉ：２面バッファ４２２の回線ＩＦ部アクセス側のバッファ、  ５２２−ｏ：２面バッファ４２２の装置内伝送路アクセス側のバッファ、  ７００：２面バッファ、  ７０１、７０４：音声データ部、  ７０２、７０３；バッファ、  ９１２：装置内伝送路ＩＦ部、  ９２１：バッファ、  ９２２：バッファ、  ９２３：ＩＦ部、  ９４４：同期信号。
【図１】
2011015138.tif 000003
【図２】
2011015138.tif 000004
【図３】
2011015138.tif 000005
【図４】
2011015138.tif 000006
【図５】
2011015138.tif 000007
【図６】
2011015138.tif 000008
【図７】
2011015138.tif 000009
【図８】
2011015138.tif 000010
【図９】
2011015138.tif 000011
【図１０】
2011015138.tif 000012